(57)【要約】【課題】  廃棄時またはリサイクル時に電子部品を電子機器本体から分離する際の安全性および作業性を向上させる。【解決手段】  本発明の電子機器は、２次電池５が収納されるプリント基板２下方の収納部を遮蔽状態から開放状態にするフタ１２と、内側に設けられて２次電池５に連結するフック１３と、を設け、フタ１２を開放状態にしたとき、フタ１２の開放に伴って２次電池５がプリント基板２下方の収納部から引き出され、２次電池５をプリント基板２から分離可能とする。【選択図】        図１
2005116569.tif 000002
【特許請求の範囲】
【請求項１】
本体に固定されるプリント基板に電気的に接続される電子部品が装着されている電子部品分離ユニットを有する電子機器において、
上記電子部品が収納される上記本体の収納部を遮蔽状態から開放状態にする遮蔽部と、
上記遮蔽部の内側に設けられて上記電子部品に連結する引き出し部と、
を設け、上記遮蔽部を開放状態にしたとき、上記遮蔽部の開放に伴って上記電子部品が上記プリント基板と電気的に接続された状態で上記本体の収納部から引き出され、上記電子部品が上記プリント基板と電気的に分離される状態で上記電子部品を上記本体から分離可能とするようにすることを特徴とする電子機器。
【請求項２】
請求項１記載の電子機器において、
上記プリント基板と上記電子部品とは配線部を介して電気的に接続され、上記配線部の上記プリント基板側の端部に上記プリント基板と上記電子部品との分離を容易にする分離誘導部を設けたことを特徴とする電子機器。
【請求項３】
請求項２記載の電子機器において、
上記配線部はフレキシブル配線板であり、上記分離誘導部は切り欠きであることを特徴とする電子機器。
【請求項４】
請求項２記載の電子機器において、
上記配線部はコネクタであり、上記分離誘導部は上記コネクタの結合部であることを特徴とする電子機器。
【請求項５】
本体に固定されるプリント基板に電気的に接続される電子部品が装着されている電子部品分離ユニットを有する電子機器の電子部品分離方法において、
上記電子部品が収納される上記本体の収納部を遮蔽部により遮蔽状態から開放状態にするステップと、
上記遮蔽部の内側に設けられた上記電子部品の引き出し部により連結された上記電子部品を引き出すステップと、
を設け、上記遮蔽部を開放状態にしたとき、上記遮蔽部の開放に伴って上記電子部品が上記プリント基板と電気的に接続された状態で上記本体の収納部から引き出され、上記電子部品が上記プリント基板と電気的に分離される状態で上記電子部品を上記本体から分離可能とするようにすることを特徴とする電子部品分離方法。
【請求項６】
請求項５記載の電子部品分離方法において、
上記プリント基板と上記電子部品とは配線部を介して電気的に接続され、上記プリント基板と上記電子部品との分離を容易にするように上記配線部の上記プリント基板側の端部に設けた分離誘導部から上記電子部品を分離することを特徴とする電子部品分離方法。
【請求項７】
請求項６記載の電子部品分離方法において、
上記配線部であるフレキシブル配線板の上記分離誘導部である切り欠きから上記電子部品を分離することを特徴とする電子部品分離方法。
【請求項８】
請求項６記載の電子部品分離方法において、
上記配線部であるコネクタの上記分離誘導部である結合部から上記電子部品を分離することを特徴とする電子部品分離方法。
【発明の詳細な説明】
【技術分野】
【０００１】
本発明は、例えば、廃棄時またはリサイクル時に電子部品が装着されているフレキシブル配線板を電子機器本体から分離可能とする電子機器および電子部品分離方法に関する。
【背景技術】
【０００２】
特許文献1には、プリント配線板の廃棄時に、基板本体と、一対の切り込み孔で囲まれているリチウムイオン電池をマウントした小基板部とを、容易に分離されるようにしたプリント配線基板が開示されている。このリチウムイオン電池は充電可能な２次電池であり、例えば、電子機器のスタンバイ状態、時計、設定のための電源電圧の供給に用いられる。
【０００３】
図８は、従来の２次電池の分離構造を示す図であり、図８Ａはフタ（電池ホルダ）開放状態、図８Ｂはフタ（電池ホルダ）分離状態である。図８Ａのフタ（電池ホルダ）開放状態に示すように、電子機器本体６１からフタ６２を引き出して開放可能に構成される。ここでフタ６２は２次電池６３の電池ホルダを兼用している。図８Ｂのフタ（電池ホルダ）分離状態に示すように、電子機器本体６１から２次電池６３と一体となったフタ６２が分離可能に構成される。
【０００４】
【特許文献１】特開平９−２７５２４８号公報
【発明の開示】
【発明が解決しようとする課題】
【０００５】
上述した特許文献1では、リチウムイオン電池である２次電池を廃棄またはリサイクルのために電子機器より取り出す際には、プリント配線板より２次電池そのものを切り込み孔または半田付け部分より引きちぎるか、２次電池を取り外し可能なホルダーに収めてある必要がある。このため、いずれも電子機器からプリント配線板を取り出すかまたはプリント配線板を露出するために、安全性に問題があると共に作業のために工具が必要であり、分別廃棄、リサイクルの安全性および作業性の低下の要因となっていたという不都合があった。
【０００６】
また、図８に示す従来の２次電池の分離構造では、フタ（電池ホルダ）６３側には２次電池６３のプラス側電極の板金構造物が必要となり、電子機器本体６１側の内部には２次電池６３のマイナス側電極の板金構造物が必要となるため、構成が複雑になり、コストが上がるという不都合があった。
【０００７】
そこで、本発明は、廃棄時またはリサイクル時に電子部品を電子機器本体から分離する際の安全性及び作業性を向上させると共に簡単な構成で低コストの電子機器および電子部品分離方法を提供することを課題とする。
【課題を解決するための手段】
【０００８】
上記課題を解決し、本発明の目的を達成するため、本発明の電子機器は、電子部品が収納される本体の収納部を遮蔽状態から開放状態にする遮蔽部と、遮蔽部の内側に設けられて電子部品に連結する引き出し部と、を設け、遮蔽部を開放状態にしたとき、遮蔽部の開放に伴って電子部品がプリント基板と電気的に接続された状態で本体の収納部から引き出され、電子部品がプリント基板と電気的に分離される状態で電子部品を本体から分離可能とするものである。
【０００９】
この電子機器によれば、廃棄時またはリサイクル時に電子機器の本体内に内蔵される例えば2次電池などの電子部品を電子機器の外部に取り出す際に、まず、ユーザーが遮蔽部を開放状態にして、収納部を開放状態にする。この遮蔽部の開放に伴って遮蔽部の内側に設けられた引き出し部に連結されている電子部品が引き出し可能に本体から露出される。ユーザーが本体から露出された電子部品を引き出すと、電子部品が本体に固定されたプリント基板の端部から分離する。このように、工具を使用しないで電子部品が電子機器から分離される。
【００１０】
また、本発明の電子部品分離方法は、電子部品が収納される本体の収納部を遮蔽部により遮蔽状態から開放状態にするステップと、遮蔽部の内側に設けられた電子部品の引き出し部により連結された電子部品を引き出すステップと、を設け、遮蔽部を開放状態にしたとき、遮蔽部の開放に伴って電子部品がプリント基板と電気的に接続された状態で本体の収納部から引き出され、電子部品がプリント基板と電気的に分離される状態で電子部品を本体から分離可能とするものである。
【００１１】
この電子部品分離方法によれば、廃棄時またはリサイクル時に電子機器の本体内に内蔵される例えば2次電池などの電子部品を電子機器の外部に取り出す際に、まず、ユーザーが遮蔽部を開放状態にして、収納部を開放状態にする。この遮蔽部の開放に伴って遮蔽部の内側に設けられた引き出し部に連結されている電子部品が引き出し可能に本体から露出される。ユーザーが本体から露出された電子部品を引き出すと、電子部品が本体に固定されたプリント基板の端部から分離する。このように、工具を使用しないで電子部品が電子機器から分離される。
【発明の効果】
【００１２】
本発明によれば、遮蔽部の開放とこれに伴う引き出し部の引き出しにより、ユーザーが容易に電子部品を電子機器から分離することができるので、廃棄時またはリサイクル時の２次電池の分別廃棄の作業性を向上させることができる。また、工具を使用せず、電子機器から電子部品を取り出したり、または電子部品を露出することがないため、ケガを防ぐことができ、安全性を向上させることができる。
【発明を実施するための最良の形態】
【００１３】
以下に、本発明の実施の形態による電子機器に適用される電子部品分離ユニットについて、適宜図面を参照しながら説明する。
図１は、本発明の実施の形態による電子部品分離ユニットの構成図である。
図1において、電子部品分離ユニット１は、穴７、８、９を介して図示しない電子機器本体に固定されるプリント基板２の端部に一方の端部が延設され、他方の端部の仮固定部４に2次電池５などの電子部品が装着されているフレキシブル配線板３を有して構成される。
【００１４】
また、電子部品分離ユニット１は、電子部品である2次電池５が装着されているフレキシブル配線板３が収納される図示しない本体の収納部（図ではプリント基板２下方部分）を遮蔽状態から開放状態にする遮蔽部であるフタ１２を有して構成される。
【００１５】
また、電子部品分離ユニット１は、遮蔽部であるフタ１２の内側（図ではプリント基板２下方側）に設けられてフレキシブル配線板３の他方の端部の穴６に連結する引き出し部であるフック１３を有して構成される。
【００１６】
また、電子部品分離ユニット１は、遮蔽部であるフタ１２を開放状態にしたとき、遮蔽部であるフタ１２の開放に伴って電子部品である2次電池５が仮固定部４を介して装着されているフレキシブル配線板３を図示しない本体の収納部（図ではプリント基板２下方部分）から引き出し、電子部品である2次電池５が仮固定部４を介して装着されているフレキシブル配線板３を図示しない本体から分離可能とするように構成される。
【００１７】
また、電子部品分離ユニット１は、プリント基板２の端部に延設されるフレキシブル配線板３の一方の端部に切り欠き１０、１１を設けるように構成される。この切り欠き１０、１１は、フレキシブル配線板３の長さ方向に沿って設けるようにしてもよく、これに限らず、フレキシブル配線板３の一方の端部の幅が狭くなるようにフレキシブル配線板３の側に適宜角度を付けて略Ｖ字状に設けてもよく、またはフレキシブル配線板３の幅方向に水平に設けるようにしてもよい。また、電子部品分離ユニット１は、プリント基板２の端部に延設されるフレキシブル配線板３の一方の端部は、遮蔽部であるフタ１２へ向けて折り曲げて設けるように構成される。
【００１８】
また、これに限らず、フレキシブル配線板３及び仮固定部４に替えてコネクタを設け、コネクタを介してプリント基板２と電子部品である2次電池５を電気的に接続して、コネクタの結合部から電子部品である2次電池５をプリント基板２から分離するようにしてもよい。この場合、プリント基板２に直接コネクタの一方を固定し、コネクタの他方に2次電池５を固定してもよい。また、プリント基板２の端部に延設されるフレキシブル配線板３の仮固定部４のみをコネクタに替えてもよい。
【００１９】
この2次電池５は充電可能な例えば、リチウムイオン電池、ニッケルカドミウム電池等の２次電池であり、例えば、電子機器のスタンバイ状態、時計、設定のための電源電圧の供給に用いられる。
【００２０】
図２は、本発明の実施の形態による電子部品分離方法を示す図である。
図２において、まず、フタ遮蔽状態２１では、電子部品である2次電池５が装着されているフレキシブル配線板３が図示しない本体の収納部（図ではプリント基板２下方部分）に収納されていて、廃棄時またはリサイクル時にユーザーが遮蔽部であるフタ１２を引っ張り方向２４に引き出すことによって収納部を遮蔽状態から開放状態にする。
【００２１】
次に、フタ開放状態２２にしたとき、遮蔽部であるフタ１２の開放に伴って電子部品である2次電池５が仮固定部４を介して装着されているフレキシブル配線板３の端部が図示しない本体の収納部（図ではプリント基板２下方部分）から露出する。
【００２２】
そこで、フレキシブル配線板分離状態２３において、ユーザーは本体の収納部（図ではプリント基板２下方部分）から露出した電子部品である2次電池５が仮固定部４を介して装着されているフレキシブル配線板３の端部をつまんで引き出すことによって、プリント基板２の端部の切り欠き１０、１１からフレキシブル配線板３を分離することができる。
【００２３】
以下に、具体的に電子機器に上述した電子部品分離ユニット１が適用された場合の各状態を説明する。
図３は、電子機器のフタ遮蔽状態を示す図である。
まず、図３において、フタ遮蔽状態では、プリント基板２は図１に示した穴７、８、９にネジ３４、突起３２、３３が挿入されて電子機器本体３１に固定されている。プリント基板２の端部にフレキシブル配線板３の一方の端部が延設され、他方の端部の仮固定部４に2次電池５などの電子部品が装着されている。
【００２４】
電子機器本体３１に設けられるフタ１２は、ユーザーが指先で手前に引き出すことにより、電子部品である2次電池５が装着されているフレキシブル配線板３が収納される点線で示す電子機器本体３１の収納部３５（図ではプリント基板２下方部分）を遮蔽状態から開放状態にする。このとき、フレキシブル配線板３の可撓性により収納部３５へのフレキシブル配線板３の収納を容易にしている。
【００２５】
遮蔽部であるフタ１２の内側（図ではプリント基板２下方側）には引き出し部であるフック１３が設けられて、フレキシブル配線板３の他方の端部の穴６に連結している。廃棄時またはリサイクル時にユーザーが遮蔽部であるフタ１２を引っ張り方向２４に引き出すことによって収納部を遮蔽状態から開放状態にする。
【００２６】
また、他のフレキシブル配線板１４は、図示しない回路基板に接続される。また、プリント基板２の左側の収納部には、乾電池や板状メモリが着脱自在に配置される。これらの収納部およびフタ１２は、通常は手前のカバーによりばね力に抗して遮蔽されていて、使用時にカバーによりばね力によって開放される。
【００２７】
図４は、電子機器のフタ開放状態を示す図である。
次に、図４において、フタ開放状態にしたとき、遮蔽部であるフタ１２の内側（図ではプリント基板２下方側）に設けられた引き出し部であるフック１３が、フレキシブル配線板３の他方の端部の穴６に連結しているため、遮蔽部であるフタ１２の開放に伴って電子部品である2次電池５が仮固定部４を介して装着されているフレキシブル配線板３の端部が図示しない電子機器本体３１の収納部３５（図ではプリント基板２下方部分）から露出する。
【００２８】
このとき、フレキシブル配線板３の弾力性により収納部３５からのフレキシブル配線板３の露出を容易にしている。また、収納部３５からのフレキシブル配線板３の露出部分は、ちょうど、仮固定部４に装着されている電子部品である2次電池５をユーザーが指先でつまむことができる程度の長さとなるようにフレキシブル配線板３の長さや折り返しをするとよい。
【００２９】
図５は、電子機器のフレキシブル配線板引き出し状態を示す図である。
そこで、フレキシブル配線板引き出し状態において、ユーザーは電子機器本体３１の収納部３５（図ではプリント基板２下方部分）から露出した電子部品である2次電池５が仮固定部４を介して装着されているフレキシブル配線板３の端部をつまんでフレキシブル配線板３の長さいっぱいに引き出す。
【００３０】
このとき、フレキシブル配線板３の長さいっぱいにユーザーがフレキシブル配線板３を引き出すことにより、プリント基板２の端部の切り欠き１０、１１にフレキシブル配線板３の引き出しの力が加わる。これにより、フレキシブル配線板３の分離を容易にする。また、フレキシブル配線板３はプリント基板２の端部からフタ１２に向けて折り返して設けられているので、プリント基板２の端部の折り返し部分にフレキシブル配線板３の引き出しの力が加わる。これにより、フレキシブル配線板３の分離を容易にする。
【００３１】
図６は、電子機器のフレキシブル配線板分離状態を示す図である。
したがって、フレキシブル配線板分離状態において、ユーザーは、プリント基板２の端部の切り欠き１０、１１から電子部品である2次電池５が仮固定部４を介して装着されているフレキシブル配線板３を分離することができる。これにより、ユーザーは、電子部品である2次電池５を電子機器本体３１とは別に処理することができる。電子機器本体３１はリサイクル工程により破砕処理され、2次電池５は有害物として別処理される。
【００３２】
上述したように、２次電池を電子機器本体３１より引き出す為に、ユーザーが仮固定部４を引っ張ると固定部における切り欠き１０、１１よりフレキシブル配線板３がちぎれて、さらに仮固定部４を引っ張るとプリント基板２の端部より完全にちぎれて分離する。
【００３３】
これにより、２次電池を簡単に分離できるフレキシブル配線板を構成することができる。上述した構成によれば、２次電池５を破棄する際に収納部３５のフタ１２を外すと，フレキシブル配線板３とともに２次電池５が外れてきて，そのまま，引っ張ると，フレキシブル配線板３がちぎれて、２次電池５を破棄することができる。
【００３４】
これにより、本体内蔵の2次電池５の廃棄または、リサイクルする際に、特殊な工具を使用することなくユーザーが自ら容易に外すことができ、環境に関するオランダKCA規制も含めて今後のリサイクル環境問題に対処することができる。
【００３５】
なお、2次電池５の交換時には、上述した電子部品分離ユニットをユニットごと交換するようにする。
【００３６】
また、これに限らず、フレキシブル配線板３及び仮固定部４に替えてコネクタを設け、コネクタを介してプリント基板２と電子部品である2次電池５を電気的に接続して、コネクタの結合部から電子部品である2次電池５をプリント基板２から分離するようにしてもよい。
【００３７】
図７は、本発明が適用されるデジタルカメラの構成を示すブロック図である。
図７において、撮像部４１は光学系により結像された被写体映像を固体撮像素子より読み出し、映像信号として出力する。RAM４７（Random Access Memory）はCPU（Central Processing Unit）４５とバス（BUS）５４により接続されたメモリである。フラッシュ（Flush）ROM（read only Memory）４９はCPU４７とバス（BUS）０により接続された書き換え可能なＲＯＭである。
【００３８】
LAN（Local Area Network）などのネットワークインターフェース（Ｉ/Ｆ）４４はCPU４５と外部ネットワークとの接続を行うインターフェースである。画像メモリであるSD（Synchronous Dynamic）RAM４３はDSP（Digital Signal Processor）４２により処理された画像データを一時的に記憶する。DSP４２は撮像部４１から取り込んだ映像信号に自動露出やホワイトバランス処理等を行う。またDSP４２は、CPU４５から圧縮の要求があった場合はSDRAM４３に一時的に記憶されている画像データの圧縮処理を行い、結果をRAM４７に転送し、伸張の要求があった場合はRAM４７のデータを伸張処理を行い結果をSDRAM４３に転送する。
【００３９】
CPU４５はフラッシュ（Flush）ROM４９に記録されているプログラムを実行し、撮像装置であるデジタルカメラ全体の制御を行う。表示部５１は表示制御部５０を介してSDRAM４３に一時記憶されている画像データが表示され、また、SDRAM４３に一時記憶されている画像データにＯＳＤ（On Screen Display）を加えた画像が表示される。
【００４０】
メモリーインターフェース（Ｉ/Ｆ）５２はCPU４５と外部記憶部５３との接続を行うインターフェースである。
【００４１】
外部記憶部５３は、記録時はRAM４７に一時記憶されている映像圧縮信号を書き込み、再生時は記憶されている映像圧縮信号をRAM４７へ読み出す。
【００４２】
また、外部操作部４６は、CPU４５に対して、動作選択、各種モード設定、パラメータ設定等を可能とする。
【００４３】
また、フラッシュ（Flush）ROM３は、外部操作部４６による選択、設定の結果を記憶する。
【００４４】
ここで、２次電池５は、サブCPU４８に接続され、２次電池５は、サブCPU４８及びバス５４を介して、上述したDSP４２、ネットワークインターフェース（I/F）４４、CPU４５、RAM４７、フラッシュ（Flush）ROM４９、表示制御部５０、メモリーインターフェース（Ｉ/Ｆ）５２のそれぞれへスタンバイ用や設定用の電源電圧を供給している。
【００４５】
この２次電池５は、リチウムイオン電池などの充電可能な２次電池であり、例えば、デジタルカメラのスタンバイ状態、時計、設定のための電源電圧の供給に用いられる。
【産業上の利用可能性】
【００４６】
本発明は、廃棄時またはリサイクル時の２次電池の分別廃棄の作業に利用可能である。
【図面の簡単な説明】
【００４７】
【図１】本発明の実施の形態による電子部品分離ユニットの構成図である。
【図２】本発明の実施の形態による電子部品分離方法を示す図である。
【図３】電子機器のフタ遮蔽状態を示す図である。
【図４】電子機器のフタ開放状態を示す図である。
【図５】電子機器のフレキシブル配線板引き出し状態を示す図である。
【図６】電子機器のフレキシブル配線板分離状態を示す図である。
【図７】本発明が適用されるデジタルカメラの構成を示すブロック図である。
【図８】従来の２次電池の分離構造を示す図であり、図８Ａはフタ（電池ホルダ）開放状態、図８Ｂはフタ（電池ホルダ）分離状態である。
【符号の説明】
【００４８】
１…電子部品分離ユニット、２…プリント基板、３…フレキシブル配線板、４…仮固定部、５…２次電池、６…穴、７…穴、８…穴、９…穴、１０…切り欠き、１１…切り欠き、１２…フタ、１３…フック、１４…フレキシブル配線板、２１…フタ遮蔽状態、２２…フタ開放状態、２３…フレキシブル配線板分離状態、３１…電子機器本体、３２…突起、３３…突起、３４…ネジ、３５…収納部、４１…撮像部、４２…DSP、４３…SDRAM、４４…ネットワークI/F、４５…CPU、４６…外部操作部、４７…RAM、４８…サブCPU、４９…Flush ROM、５０…表示制御部、５１…表示部、５２…メモリーI/F、５３…外部記憶部、５４…バス
【図１】
2005116569.tif 000003
【図２】
2005116569.tif 000004
【図３】
2005116569.tif 000005
【図４】
2005116569.tif 000006
【図５】
2005116569.tif 000007
【図６】
2005116569.tif 000008
【図７】
2005116569.tif 000009
【図８】
2005116569.tif 000010